(57)【要約】  本発明は、内側または内側と外側すべて飲み物を吸収または流れを防止するための材質を有して、コップの外周縁が挟まれる円筒形状の本体と、前記本体の上側一定区間にコップの開口端または前記開口端に装着されたコップふたの結合部に対応される高さまで延長されて飲用部位に対応される開口端と結合部の接触部位を通じて漏水される飲み物を吸収するか、または流れを防止する汚染防止パネルと、を含むコップホルダーを開示する。
2017506928.tif 000002
【特許請求の範囲】
【請求項１】
内側または内側と外側すべて飲み物を吸収するか、または流れが防止されるようにする材質を有して、
コップ２００の外周縁が挟まれる円筒形状の本体１１０と、
前記本体１１０の上側一定区間にコップ２００の開口端２１０または前記開口端２１０に装着されたコップふた３００の結合部３１０に対応される高さまで延長されて飲用部位に対応される開口端２１０と結合部３１０の接触部位を通じて漏水される飲み物を吸収または流れを防止する汚染防止パネル１２０を含むことを特徴とするコップホルダー。
【請求項２】
前記汚染防止パネル１２０は、
４５゜乃至１８０゜の角度の範囲に対応される弧の長さを有することを特徴とする請求項１に記載のコップホルダー。
【請求項３】
前記汚染防止パネル１２０は、
内側面に漏水された飲み物の流れを防止する凹凸部１４０が構成されることを特徴とする請求項１に記載のコップホルダー。
【請求項４】
前記凹凸部１４０は、
横または斜線の方向で構成されることを特徴とする請求項３に記載のコップホルダー。
【請求項５】
前記汚染防止パネル１２０は、
上側両側縁に斜めな角度で所定長さ切開される一対の第１切開線１２１を含むことを特徴とする請求項１に記載のコップホルダー。
【請求項６】
前記汚染防止パネル１２０は、
上側端が一定間隔を有しながら垂直な角度で所定長さ切開される複数個の第２切開線１２２を含むことを特徴とする請求項１に記載のコップホルダー。
【発明の詳細な説明】
【技術分野】
【０００１】
本発明は、テークアウトコーヒーなどの飲み物用コップに装着されて飲み物用コップを安全に把持することができるコップホルダーに関するものであり、より詳細には、飲み物用コップに装着されるコップふたを利用して飲み物を飲用時にコップふたとコップの結合部位に漏水される飲み物によって服などが汚染することを防止することができるコップホルダーに関するものである。
【背景技術】
【０００２】
テークアウト専門店などで販売されるコーヒーなど飲み物用コップにはコップの上側をカバーするコップふたが一般に適用されているが、前記のようなコップふたは、揺らめく飲み物があふれるか、または零れ落ちることを防止してコップを有して安全に移動することができるようにしてくれるし、また、穴を通じて飲み物を飲めるようにする構成を有している。
【０００３】
すなわち、一般なコップふたは、大韓民国公開特許２００３-２０１５４及び登録特許１０-０４４６６５６などに開示されたように、小さな孔を口につけるか、または、別途のストローを孔にさして飲み物を飲むようにする構造を有するようにしている。
【０００４】
しかし、一般な飲み物用コップの場合パルプなどのような樹脂または紙材質を有するため、円筒形状を有しながら製造時必須にコップの縦長方向に接合部が位置するようになって、これに、前記のような接合部を有する開口端には紙厚さ程度の段差が発生するようになる。
【０００５】
したがって、前記コップの開口端にコップふたの結合部を結合させてコップふたの飲用孔を通じて飲み物を飲んでも、前記コップの開口端に発生された段差によって開口端と結合部の接触部位に微細な公差が発生されて、ストローを使わないで直接口につけて飲み物を飲用する場合飲み物が漏水される問題点がある。
【０００６】
一方、前記コップの開口端に接合部が位置しなくてもコップふたの結合部と開口端の間には結合のための公差が不可欠に存在し、また、相互間完璧な結合がなされない場合該当部位に飲み物が漏水される問題点が発生するようになる。
【０００７】
これに、コップふたを使ってコップの飲み物を飲用する途中、飲用者が認知することができない状態で前記のように漏水が発生する場合飲み物によって飲用者の服などの汚染する問題点がある。
【発明の概要】
【発明が解決しようとする課題】
【０００８】
したがって、本発明の目的は、飲み物用コップに装着されて飲み物用コップを安全に把持することができるコップホルダーにおいて、コップホルダーの一定区間がコップの開口端に結合されるコップふたの結合部に対応されるように延長されて、前記開口端と結合部の接触部位を通じた飲み物の漏水時、これを吸収または流れを防止するようにして服などの汚染を防止することができるコップホルダーを提供することである。
【課題を解決するための手段】
【０００９】
本発明によれば、内側または内側と外側すべて飲み物を吸収するか、または流れを防止するための材質を有して、コップの外周縁が挟まれる円筒形状の本体と、該本体の上側一定区間にコップの開口端または前記開口端に装着されたコップふたの結合部に対応される高さまで延長されて、飲用部位に対応される開口端と結合部の接触部位を通じて漏水される飲み物を吸収する汚染防止パネルを含むコップホルダーが提供される。
【００１０】
ここで、前記汚染防止パネルは、４５゜乃至１８０゜の角度の範囲に対応される弧の長さを有することが望ましい。
【００１１】
また、前記汚染防止パネルは、内側面に漏水された飲み物の流れを防止する凹凸部が構成されることが望ましい。
【００１２】
また、前記凹凸部は、横または斜線の方向で構成されることが望ましい。
【図面の簡単な説明】
【００１３】
【図１】本発明の望ましい実施例によるコップホルダーを示した斜視図である。
【図２】本発明の望ましい実施例によるコップホルダーを示した側断面図である。
【図３】本発明の望ましい実施例によるコップホルダーを示した使用状態側断面図である。
【図４】本発明の望ましい実施例によるコップホルダーの他の形状を示した斜視図である。
【図５】本発明の望ましい実施例によるコップホルダーの他の形状を示した斜視図である。
【図６】本発明の望ましい実施例の変形例によるコップホルダーを示した斜視図である。
【発明を実施するための形態】
【００１４】
以下、添付された図面を参照して本発明の望ましい実施例に対して詳しく説明することにする。
【００１５】
図１乃至図６に示されたように、本発明の望ましい実施例によるコップホルダー１００は、内側面または内側面と外側面すべて飲み物を吸収するか、または流れを防止するための材質を有して、コップ２００の外周縁が挟まれる円筒形状の本体１１０と、該本体１１０の上側に所定長さの円弧または半円の円弧の長さを有しながらコップ２００の開口端２１０または前記開口端２１０にコップふた３００が装着される場合前記開口端２１０に結合される結合部３１０に対応される高さまで延長されて、直接口につけて飲み物を飲用する部位に対応される開口端２１０と結合部３１０の結合部位を通じて漏水される飲み物を吸収または流れを防止する汚染防止パネル１２０と、を含む。
【００１６】
ここで、前記コップ２００は、飲み物を収容する該当空間を有して上側の開口端２１０を通じて飲み物を飲用することができるし、樹脂または紙材質を有する場合接合部２２０によって該当形状を有しながら製造される公知の構成と機能を有することができるので、詳細な説明は略することにする。
【００１７】
また、前記コップふた３００は、前記コップ２００の開口端２１０をカバーするカバー部３２０の縁に形成されてコップ２００の開口端２１０わくに結合されて飲み物が漏れないようにする結合部３１０を有して、より望ましくは、前記カバー部３２０と結合部３１０との間に所定高さを有して隆起されて飲み物の冷やし空間を提供して、前記飲み物の飲用が容易いように飲み物を飲用者の口に案内する飲み物案内部及びカバー部と飲み物案内部に一つ以上形成されて飲み物が冷やし空間に収容されるように排出させるか、または残余飲み物が冷やし空間の対向される部位にすべて排出されるようにする飲み物排出部をさらに含んだ方が良い。
【００１８】
ここで、前記結合部３１０は、前記コップ２００の開口端２１０わくの外側を囲みながら脱付着可能に結合、または分離されて飲み物が漏水されることを防止する結合口３１１と、前記結合口の下側に延長されて結合口とわくとの間の脱付着を容易にするスカート３１２と、を含む。
【００１９】
前記本体１１０は、コップ２００の外周縁が挟まれる中空を有する円筒形状の把持手段で、一般なテークアウト用コップ２００に挟まれて保温及び保冷機能以外に、断熱機能を提供して飲用者がコップ２００の把持をより容易にできる。
【００２０】
前記汚染防止パネル１２０は、前記接合部２２０を通じて漏水される飲み物を吸収または流れを防止して服などが汚染されることを防止する汚染防止手段として、前記本体１１０の上側に所定長さの円弧または半円の円弧の長さを有しながらコップ２００の開口端２１０または前記開口端２１０にコップふた３００が装着される場合前記開口端２１０に結合される結合部３１０に対応される高さまで延長されて直接口につけて飲み物を飲用する部位に対応される開口端２１０と結合部３１０との結合部位を通じて漏水される飲み物を吸収するか、または流れを防止する。
【００２１】
すなわち、前記汚染防止パネル１２０は、図１乃至図４に示されたように、４５゜乃至１８０゜の角度の範囲に対応される弧の長さを有する状態でコップ２００の開口端２１０または前記開口端２１０に結合されるコップふた３００の結合部３１０に対応されるか、または所定長さがさらに高い位置まで延長されて、従来のような問題点によって飲用者も分からなく漏水される飲み物が吸収または流れが防止されて服などの汚染が防止されるようにできる。
【００２２】
ここで、前記本体１１０と汚染防止パネル１２０は、内側または内側と外側すべて飲み物を吸収または流れを防止するための樹脂または紙材質を有するが、より望ましくは、前記コップ２００の外周縁に接触される内側は飲み物を吸収するためのスポンジなどのような樹脂または段ボールなどのような紙材質を有して、外側は飲み物などに濡れないようにフィルムがコーティング処理されながら、これを通じて前記外側面に多様な広告文句などが印刷されるようにして広告効果を提供した方が良い。
【００２３】
また、前記本体１１０と汚染防止パネル１２０の内側面にはコップ２００との接触力向上及び漏水された飲み物の吸収のための凹凸部１４０がさらに構成されて、前記凹凸部１４０は縦、横及び斜線の方向で構成されることができるが、より望ましくは、横及び斜線方向に構成されて吸収されることができなかった飲み物の流れを最大限抑制した方が良い。
【００２４】
一方、前記汚染防止パネル１２０は、前記本体１１０の上側に４５゜乃至１８０゜の角度の範囲に対応される弧の長さを有しながらコップ２００の開口端２１０に対応される高さを有することで、３６０゜の角度に対応される弧の長さを有することに比べてコップふた３００の正常な装着如何を飲用者が肉眼で確認できるようにして、コップふた３００の非正常な装着による飲み物の漏水をあらかじめ防止することができる。
【００２５】
また、前記汚染防止パネル１２０は、図６に示されたように、上側部の両側縁に斜めな角度で所定長さで切開される一対の第１切開線１２１と上側端が一定間隔を有しながら垂直な角度で所定長さ切開される複数個の第２切開線１２２をさらに有することを通じて上側部がコップふた３００の結合部３１０外側に所定角度折曲されるようにすることが望ましくて、これを通じて、前記コップ２００の開口端２１０にコップふた３００の結合部３１０が結合された状態で本体１１０にコップ２００の外周縁が挟まれる時、前記開口端２１０または結合部３１０のスカート３１２を接触カバーする上側部がコップふた３００の結合部３１０に接触されないようにして、コップふた３００が開口端２１０から分離または離脱されないようにできる。
【００２６】
また、前記汚染防止パネル１２０は、前記本体１１０の上側からコップ２００の開口端２１０に対応される高さまたは、これより所定高さをさらに有しながら開口端２１０または結合部３１０のスカート３１２を接触カバーすることで、コップふた３００の飲用孔などが構成された飲用部位を通じて飲み物を直接飲用しても、これを邪魔しないようにできる。
【００２７】
以下、本発明の望ましい実施例によるコップホルダー１００の作用に対して説明すれば次のようである。
【００２８】
先ず、コップ２００の収容空間に飲み物が収容された後コップ２００の開口端２１０にコップふた３００の結合部３１０が結合されて開口端２１０が閉鎖される。
【００２９】
以後、コップホルダー１００の本体１１０内側面にコップ２００の外周縁が支持された状態で挟まれて飲用者に断熱機能を提供して、この時、前記本体１１０の上側に一定な円弧の長さを有しながら延長される汚染防止パネル１２０がコップふた３００の結合部３１０に対応される位置を有するようになって、該当飲用部位がカバーされた状態を有するようになる。
【００３０】
これに、飲用者がコップふた３００の該当飲用部位を通じて直接口につけて飲み物を飲用時、前記コップふた３００の結合部３１０とコップ２００との開口端２１０の間の公差によって飲用部位に対応される結合部３１０と開口端２１０との接触部位を通じて飲み物が漏水される場合、前記汚染防止パネル１２０の内側面に吸収または流れが防止されて服などが汚染されることが防止される。
【００３１】
したがって、上述したようなコップホルダー１００によれば、本体１１０の上側一定区間に汚染防止パネル１２０がコップ２００の開口端２００に結合されるコップふた３００の結合部３１０をカバーするように延長位置されることで、前記開口端２１０と結合部３１０との接触部位を通じた飲み物の漏水時これを吸収するか、または流れが防止されるようにして服などの汚染を防止することができる。
【産業上の利用可能性】
【００３２】
以上説明したように、本発明によれば、コップホルダーの本体上側一定区間に汚染防止パネルがコップの開口端に結合されるコップふたの結合部をカバーするように延長されることで、前記開口端と結合部の接触部位を通じた飲み物の漏水時にこれを吸収するか、または流れを防止するようにして服などの汚染を防止することができる。
【図１】
2017506928.tif 000003
【図２】
2017506928.tif 000004
【図３】
2017506928.tif 000005
【図４】
2017506928.tif 000006
【図５】
2017506928.tif 000007
【図６】
2017506928.tif 000008
【国際調査報告】
2017506928.tif 000009
2017506928.tif 000010
2017506928.tif 000011
2017506928.tif 000012